【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、
前記出口管と前記入口管の各上方部位に形成される被係止部と、前記出口管に連通する入口流路と、前記入口管に連通する出口流路と、前記容器を着脱自在かつ気密状態で嵌着する嵌着手段と、を形成した蓋部材と、該蓋部材の軸支部により回動自在に軸支されるとともに、前記蓋部材の上面の略全域を覆う操作面と、前記被係止部に係止する係止部と、を形成した回動部材と、前記係止部が前記被係止部に向かうように付勢する付勢部材と、を備えることを特徴とする加湿器。
【請求項２】酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、
前記出口管と前記入口管の各上方部位に形成される被係止部と、前記出口管に連通する入口流路と、前記入口管に連通する出口流路と、前記容器を着脱自在かつ気密状態で嵌着する嵌着手段と、を形成した蓋部材と、該蓋部材の軸支部により回動自在に軸支されるとともに、前記蓋部材の上面の略全域を覆う操作面と、前記被係止部に係止する係止部と、を形成した回動部材と、前記係止部が前記被係止部に向かうように付勢する付勢部材と、前記容器内に貯められた水中に酸素を送り出し、泡を発生して前記湿潤状態にするために前記入口流路に連通される泡発生手段と、を備えることを特徴とする加湿器。
【請求項３】前記嵌着手段は、嵌着後に気密状態に変形するように前記蓋部材と前記容器との間の接合面に設けられるリップシールと、前記蓋部材の縁部から延設される円筒内周面に形成される複数または好ましくは３箇所以上の一方の係合部と、前記容器の円筒外周面に形成される複数または好ましくは３箇所以上の他方の係合部と、前記円筒外周面に形成され、前記操作面と同時に把持されるフランジ部と、を備えることを特徴とする請求項１または２に記載の加湿器。
【請求項４】前記酸素濃縮装置は、前記出口管と前記入口管とを、操作容易な高さに配設し、かつ挿着後の前記蓋部材の前記操作面の上方に大きく開口し、挿着後の前記容器の前記フランジ部の左右方向に夫々空間部を形成したカバー部材を設けたことを特徴とする請求項３に記載の加湿器。
【請求項５】前記蓋部材は、前記入口流路と、前記出口流路と、前記嵌着手段と、前記軸支部と、前記付勢部材の収容部とを所定樹脂材料を用いて一体樹脂成型し、また、前記容器は、透明乃至光透過性の樹脂材料から射出成型され、かつ水の上下レベルの表示部を設けたことを特徴とする請求項１乃至４のいずれか１項に記載の加湿器。
【請求項６】酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器の上レベルまでの水の補給を可能にした加湿器であって、
前記出口管と前記入口管とに対する係止状態に維持する係止手段と、前記出口管に連通する入口流路と、前記入口管に連通する出口流路と、前記容器を着脱自在かつ気密状態で嵌着する嵌着手段と、を備えた蓋部材と、前記容器内に貯められた水中に酸素を送り出し、泡を発生して前記湿潤状態にするために前記入口流路に連通され、かつ前記容器の底面に対してその長手方向が略平行になるように前記底面の近くに配設される泡発生手段と、を備えることを特徴とする加湿器。
【請求項７】酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器の上レベルまでの水の補給を可能にした加湿器であって、
前記出口管と前記入口管とに対する係止状態に維持する係止手段と、前記出口管に連通する入口流路と、前記入口管に連通する出口流路と、前記容器を着脱自在かつ気密状態で嵌着する嵌着手段と、を備えた蓋部材と、前記容器内に貯められた水中に酸素を送り出し、泡を発生して前記湿潤状態にするように前記入口流路に連通される泡発生手段と、前記出口流路の入口部の全体を覆う本体部と、前記上レベルより高い位置において略水平方向に開口する開口部と、該開口部に連通するとともに前記入口部に対向して配置される小径の孔部と、を有する邪魔板と、を備えることを特徴とする加湿器。
【請求項８】前記泡発生手段は、さらに前記上レベルより上方の空間部に送り出される酸素の量を調節する調節手段を、設けたことを特徴とする請求項６または７に記載の加湿器。
【請求項９】前記泡発生手段は、ほぼ円板状の形状であることを特徴とする請求項８に記載の加湿器。
【請求項１０】前記嵌着手段は、嵌着後に気密状態に変形するように前記蓋部材と前記容器との間の接合面に設けられるリップシールと、前記蓋部材の縁部から延設される円筒内周面に形成される複数または好ましくは３箇所以上の一方の係合部と、前記容器の円筒外周面に形成される複数または好ましくは３箇所以上の他方の係合部と、前記円筒外周面に形成され、前記係止手段の操作面と同時に把持されるフランジ部と、を備えることを特徴とする請求項６または７に記載の加湿器。
【請求項１１】前記酸素濃縮装置は、前記出口管と前記入口管とを、操作容易な高さに配設し、かつ挿着後の前記蓋部材の前記操作面の上方に大きく開口し、挿着後の前記容器の前記フランジ部の左右方向に夫々空間部を形成したカバー部材を設けたことを特徴とする請求項１０に記載の加湿器。
【請求項１２】前記容器は、透明乃至光透過性の樹脂材料から射出成型され、かつ前記上レベルと水の残量が少ないことを示す下レベルの表示部を設けたことを特徴とする請求項６または７に記載の加湿器。
【手続補正２】
【補正対象書類名】明細書
【補正対象項目名】００１６
【補正方法】変更
【補正の内容】
【００１６】
【課題を解決するための手段】
上述した課題を解決し、目的を達成するために、本発明によれば、酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、前記出口管と前記入口管の各上方部位に形成される被係止部と、前記出口管に連通する入口流路と、前記入口管に連通する出口流路と、前記容器を着脱自在かつ気密状態で嵌着する嵌着手段と、を形成した蓋部材と、該蓋部材の軸支部により回動自在に軸支されるとともに、前記蓋部材の上面の略全域を覆う操作面と、前記被係止部に係止する係止部と、を形成した回動部材と、前記係止部が前記被係止部に向かうように付勢する付勢部材と、を備えることを特徴としている。また、酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器への水の補給を可能にした加湿器であって、前記出口管と前記入口管の各上方部位に形成される被係止部と、前記出口管に連通する入口流路と、前記入口管に連通する出口流路と、前記容器を着脱自在かつ気密状態で嵌着する嵌着手段と、を形成した蓋部材と、該蓋部材の軸支部により回動自在に軸支されるとともに、前記蓋部材の上面の略全域を覆う操作面と、前記被係止部に係止する係止部と、を形成した回動部材と、前記係止部が前記被係止部に向かうように付勢する付勢部材と、前記容器内に貯められた水中に酸素を送り出し、泡を発生して前記湿潤状態にするために前記入口流路に連通される泡発生手段と、を備えることを特徴としている。また、本発明によれば、酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器の上レベルまでの水の補給を可能にした加湿器であって、前記出口管と前記入口管とに対する係止状態に維持する係止手段と、前記出口管に連通する入口流路と、前記入口管に連通する出口流路と、前記容器を着脱自在かつ気密状態で嵌着する嵌着手段と、を備えた蓋部材と、前記容器内に貯められた水中に酸素を送り出し、泡を発生して前記湿潤状態にするために前記入口流路に連通され、かつ前記容器の底面に対してその長手方向が略平行になるように前記底面の近くに配設される泡発生手段と、を備えることを特徴としている。また、本発明によれば、酸素の生成手段を備えた酸素濃縮装置から乾燥状態で供給される酸素を送り出す出口管と、湿潤状態の酸素を呼吸手段に送り出す入口管と、に対して着脱自在に挿着され、水を貯める容器の上レベルまでの水の補給を可能にした加湿器であって、前記出口管と前記入口管とに対する係止状態に維持する係止手段と、前記出口管に連通する入口流路と、前記入口管に連通する出口流路と、前記容器を着脱自在かつ気密状態で嵌着する嵌着手段と、を備えた蓋部材と、前記容器内に貯められた水中に酸素を送り出し、泡を発生して前記湿潤状態にするように前記入口流路に連通される泡発生手段と、前記出口流路の入口部の全体を覆う本体部と、前記上レベルより高い位置において略水平方向に開口する開口部と、該開口部に連通するとともに前記入口部に対向して配置される小径の孔部と、を有する邪魔板と、を備えることを特徴としている。
【手続補正３】
【補正対象書類名】明細書
【補正対象項目名】００１９
【補正方法】変更
【補正の内容】
【００１９】
そして、前記蓋部材は、前記入口流路と、前記出口流路と、前記嵌着手段と、前記軸支部と、前記付勢部材の収容部とを所定樹脂材料を用いて一体樹脂成型し、また、前記容器は、透明乃至光透過性の樹脂材料から射出成型され、かつ水の上下レベルの表示部を設けたことを特徴としている。また、前記泡発生手段は、さらに前記上レベルより上方の空間部に送り出される酸素の量を調節する調節手段を、設けたことを特徴としている。また、泡発生手段は、ほぼ円板状の形状であることを特徴としている。